(57)【特許請求の範囲】
【請求項１】
ディスクが載置されたトレイが複数枚積層されて収納され且つ前記トレイを出し入れする開口部が形成されたパッケージと、前記パッケージが前記開口部を挿入方向に向けて挿入される装填領域と、前記ディスクの記録および／または再生を行なうディスク駆動手段と、前記ディスクの並び方向へ移動し前記ディスクを選択する移動ベースと、前記移動ベースに設けられて選択された前記トレイを前記パッケージ内から引き出して前記ディスク駆動手段へ装填可能にする引出し手段とを有するディスク装置において、前記装填領域に挿入された前記パッケージ内の前記トレイに前記開口部側から対向して、前記パッケージ内からの前記トレイの突出を防止する規制部材と、前記パッケージ内から前記ディスクを引き出す際に前記規制部材を前記トレイの出し入れが可能な領域に待避させる規制解除手段が設けられており、
前記パッケージが前記装填領域に挿入されたときに、前記規制部材が対向しない前記トレイに、所定位置に停止している前記引出し手段の一部分が対向して、前記パッケージからの前記トレイの突出が防止されることを特徴とするディスク装置。
【請求項２】
引出し手段が対向するトレイに隣接するトレイには、この引出し手段と共に所定位置に停止している前記移動ベースの一部が対向して、パッケージからのトレイの突出が防止される請求項１記載のディスク装置。
【請求項３】
他のトレイの突出が規制部材により規制されている状態で、前記引出し手段により突出が防止されているトレイは、この引出し手段によりその位置から引出し可能とされる請求項１または２記載のディスク装置。
【請求項４】
引出し手段および移動ベースを移動させる駆動機構の一部に前記規制解除手段が設けられ、引出し手段および移動ベースが、前記駆動機構により前記所定位置から他のトレイに対向する位置ヘ移動するときに、前記規制解除手段により、規制部材が待避位置に移動させられる請求項１ないし３のいずれかに記載のディスク装置。
【請求項５】
パッケージ内には、各トレイを収納状態に保持するばね製の保持手段が設けられ、装填領域に挿入されたパッケージ内のトレイが前記規制部材に当たった時点で、前記保持手段によりトレイをパッケージ内に戻して保持する力が発揮される請求項１ないし４のいずれかに記載のディスク装置。
【発明の詳細な説明】
【０００１】
【発明の属する技術分野】
本発明は、複数のディスクを収納したパッケージから選択された１枚のディスクを取り出して記録又は再生を行なうディスク装置に係り、特にパッケージをディスク装置に装填したときに、パッケージ内からのディスクの突出を防止するとともに、パッケージを装填してからディスクの記録又は再生動作に至るまでに要する時間を短縮できるディスク装置に関する。
【０００２】
【従来の技術】
複数枚のディスクが収納されたパッケージが挿入され、パッケージ内のいずれかのディスクが選択されて再生または記録が行なわれるディスク装置として、パッケージ内に、ディスクを載置する複数のトレイが収納されるものがある。
このディスク装置では、装置本体の装填領域にパッケージが挿入されると、引出し手段によりパッケージ内の選択されたディスクが引出される。引き出されたディスクはディスク駆動手段に装填され、回転駆動されて記録または再生が行なわれる。
車載用などのディスク装置では、前記パッケージが、トレイを引出すための開口部を横方向に向け且つ、開口部が形成されていない側壁を前方に向けて装置本体内に挿入される。一方、同じく車載用のディスク装置またはコンピュータのデータ処理用に用いられるディスク装置では、パッケージが前記開口部を前方に向けてディスク装置の装填領域に挿入されるものがある。
【０００３】
【発明が解決しようとする課題】
しかし、パッケージが挿入方向を前方に向けて挿入されるものでは、パッケージを装置本体に勢いよく挿入したときに、衝撃または慣性力により、パッケージ内のトレイが装置本体内に不用意に飛び出しやすく、パッケージの挿入を完了したときに、トレイの選択動作に支障をきたすことがある。または、パッケージを挿入する前に、パッケージの開口部からトレイの一部が突出している状態で、そのままパッケージが挿入され、挿入口から突出しているトレイにより、前記のように選択動作に支障をきたすことがある。
【０００４】
本発明は上記従来の課題を解決するものであり、パッケージが開口部を前方に向けて挿入されたときに、パッケージ内のトレイの不用意な突出を防止できるようにしたディスク装置を提供することを目的としている。
【０００５】
また本発明は、パッケージが挿入されたときにトレイの飛び出しが防止できるが、パッケージが挿入された直後に飛び出し防止機構に邪魔されることなく、直ちにパッケージ内からのトレイおよびディスクの取り出しを可能としたディスク装置を提供することを目的としている。
【０００６】
【課題を解決するための手段】
本発明は、ディスクが載置されたトレイが複数枚積層されて収納され且つ前記トレイを出し入れする開口部が形成されたパッケージと、前記パッケージが前記開口部を挿入方向に向けて挿入される装填領域と、前記ディスクの記録および／または再生を行なうディスク駆動手段と、前記ディスクの並び方向へ移動し前記ディスクを選択する移動ベースと、前記移動ベースに設けられて選択された前記トレイを前記パッケージ内から引き出して前記ディスク駆動手段へ装填可能にする引出し手段とを有するディスク装置において、前記装填領域に挿入された前記パッケージ内の前記トレイに前記開口部側から対向して、前記パッケージ内からの前記トレイの突出を防止する規制部材と、前記パッケージ内から前記ディスクを引き出す際に前記規制部材を前記トレイの出し入れが可能な領域に待避させる規制解除手段が設けられており、
前記パッケージが前記装填領域に挿入されたときに、前記規制部材が対向しない前記トレイに、所定位置に停止している前記引出し手段の一部分が対向して、前記パッケージからの前記トレイの突出が防止されることを特徴とするものである。
【０００７】
本発明では、パッケージが開口部を前方に向けて装置本体に挿入された状態で、パッケージ内のトレイの前方に規制部材が対向するため、パッケージの挿入動作により、パッケージ内のトレイが飛び出すのを防止できる。また、パッケージの開口部からトレイが突出した状態でパッケージが挿入されたときも、パッケージの挿入が完了したときに、規制部材によりトレイがパッケージ内に戻される。
【０００８】
本発明では、実施の形態に示すように、移動ベースにディスク駆動手段と引出し手段の双方が搭載されて、引出し手段で引き出されたディスクがそのまま移動ベース上でディスク駆動手段により駆動されるもののみならず、移動ベースに引出し手段のみ搭載され、パッケージ内のトレイが引き出されてディスクが移動ベース上に載置された後に、この移動ベースが移動して、他の位置にあるディスク駆動手段にディスクが搭載されて駆動されるものであってもよい。
【０００９】
上記において、引出し手段が対向するトレイに隣接するトレイには、この引出し手段と共に所定位置に停止している前記移動ベースの一部が対向して、パッケージからのトレイの突出が防止されるものとすることが可能である。
【００１０】
この場合に、他のトレイの突出が規制部材により規制されている状態で、前記引出し手段により突出が防止されているトレイは、この引出し手段によりその位置から引出し可能とすることが好ましい。
【００１１】
上記の手段では、パッケージが挿入されたときに、パッケージ内のいずれか１個または複数のトレイの前方に規制部材が対向して、パッケージ内のトレイの突出が防止されるとともに、それ以外のトレイには移動ベースおよび引出し手段が対向するが、この状態で、引出し手段によりトレイを引き出すことができる。すなわち、規制部材により他のトレイが規制されている状態で、引出し手段を動作させることにより、パッケージ内のトレイを直ちに引き出すことができるため、規制部材を動作させる前にトレイの引出が可能になり、パッケージの挿入からディスクの駆動までにかかる時間を短縮できる。
【００１２】
この場合に、引出し手段および移動ベースを移動させる駆動機構の一部に前記規制解除手段が設けられ、引出し手段および移動ベースが、前記駆動機構により前記所定位置から他のトレイに対向する位置ヘ移動するときに、前記規制解除手段により、規制部材が待避位置に移動させられるようにすることができる。
【００１３】
この構造では、それまで規制部材により規制されていたトレイを引き出そうとするときに、移動ベースおよび引出し手段を移動させて、トレイを選択できる位置ヘ移動させると、その時点で規制部材が待避していることになる。よって、移動ベースを移動させてトレイの選択を行うだけで規制部材を待避させることができ、規制部材を待避させるための別個の機構が不要であり、また移動ベースをトレイの選択位置へ移動した時点で、直ちにディスク選択動作に移行でき、ディスク駆動までに要する時間を短くできる。
【００１４】
また、パッケージ内には、各トレイを収納状態に保持するばね製の保持手段が設けられ、装填領域に挿入されたパッケージ内のトレイが前記規制部材、または前記引出し手段あるいは移動ベースに当たった時点で、前記保持手段によりトレイをパッケージ内に戻して保持する力が発揮されることが好ましい。
【００１５】
上記構造では、パッケージの挿入時の衝撃や加速度により、パッケージ内のトレイが規制部材（または引出し手段あるいは移動ベース）に当たる位置まで突出しても、それ以上トレイが前方へ出ないため、パッケージ内の保持手段によりトレイがパッケージ内に戻されて保持されることになる。よって、パッケージ内のトレイは常に、保持手段により確実に保持された状態に保たれる。
【００１６】
【発明の実施の形態】
以下、本発明について図面を参照して説明する。
図１は、本発明における選択式のディスク装置の実施の形態を示す平面図、図２は図１のＩＩ矢視方向から見た縦断面図、図３はディスクパッケージの平断面図である。
図１に示すディスク装置の構造は、筐体Ａが図示Ｘ方向に延びた形状であり、図示右端側が装填領域Ｂおよび図示左端側がディスク駆動領域Ｃとなっている。装填領域Ｂはディスクパッケージ（以下、パッケージという）Ｐが装填される領域であり、ディスク駆動領域Ｃにはディスク駆動手段Ｅおよび移動ベースとして昇降移動ベース１０などが設けられている。また図示右端側の端面には、パッケージＰが挿入される挿入口Ａ１が設けられている。
【００１７】
前記昇降移動ベース１０上には、ディスク駆動手段Ｅが搭載されている。このディスク駆動手段Ｅは、駆動ベースＥ１上にディスクＤの中心穴部分を保持するターンテーブル１１とこのターンテーブル１１を回転駆動するスピンドルモータ１２を有している。またディスクＤの半径方向へ延びるガイド軸１４とこのガイド軸１４と平行に延びる駆動スクリュー軸１５とが設けられ、光ヘッド１３の軸受部１３ｂが前記ガイド軸１４に摺動自在に支持され、光ヘッド１３の雌ねじ部１３ｃが駆動スクリュー軸１５に螺合している。光ヘッド１３内には、レーザーダイオードなどの発光素子、ディスクからの反射光を検出する受光素子、ビームスプリッターなどの光学素子が収納され、対物レンズ１３ａがディスクＤの記録面に対向して設けられている。
【００１８】
パッケージＰは、直径が１２ｃｍのディスクおよび直径が８ｃｍのディスクを複数枚収納可能である。また再生専用のＲＯＭ系ディスクと記録が可能なＲＡＭ系ディスクの双方が混在して収納することもできる。例えばＲＯＭ系ディスクは、ＣＤやＤＶＤ−ＲＯＭなどであり、ＲＡＭ系ディスクは、ＤＶＤ−ＲＡＭなどである。また直径が８ｃｍのディスクはシングルＣＤなどである。
【００１９】
図３に示すように、パッケージＰは合成樹脂製のケース１から形成され、図示左側に開口部１ａを有し、この開口部１ａがトレイＴおよびディスクＤの引出し口である。ケース１の内部には複数枚のトレイＴが引出し自在に収納されている。図の例では、ケース１内に５枚のトレイＴを収納可能である。ケース１の左側板１ｂと右側板１ｃの内面には複数の水平リブ（図示せず）が突出形成されており、各トレイＴの左右両側縁部が、前記水平リブの間にてガイドされ、各トレイＴはＸ方向へ摺動自在となっている。トレイＴの一方の側縁部（図示下側の側縁部）では、図示右端に規制突起Ｔ１が、図示左端に規制突起Ｔ２が突出形成されて、ケース１の左側板１ｂの内面には、前記両規制突起Ｔ１とＴ２の間に位置するストッパ突起１ｄが一体に形成されている。各トレイＴの図示右側の端辺には保持突起Ｔ３が一体に突出形成されており、ケース１の図示右側の前面板１ｅの内側には、個々のトレイＴの保持突起Ｔ３を保持する保持手段として板ばね２が設けられている。
【００２０】
図３にて実線で示すように、トレイＴがケース１の内部に収納されている状態では、トレイＴの保持突起Ｔ３が板ばね２で保持され、各トレイＴが開口部１ａから飛び出さないようにロック状態（保持状態）にある。前記トレイＴを前記開口部１ａから図示左方向へ引くと、保持突起Ｔ３が板ばね２から外れ、トレイＴを開口部１ａから引き出すことができる。ただし、保持突起Ｔ３のＸ１側の両側部には傾斜面Ｔ３ａ，Ｔ３ａが形成されているため、図３の状態からトレイＴを少しだけＸ１方向へ引出したときには、板ばね２の先端部２ａ，２ａが傾斜面Ｔ３ａ、Ｔ３ａを摺動し、トレイＴはパッケージ内へＸ２方向へ引き戻される。すなわち、板ばね２の先端部２ａ，２ａが、保持突起Ｔ３の側部の突部頂点を乗り越えない限り、トレイＴがパッケージＰ内に引き戻される。
【００２１】
保持突起Ｔ３が板ばね２から外れて保持が解除され、トレイＴが所定寸法だけ引き出されると、トレイＴの側縁部に形成された規制突起Ｔ１が、ケース１の前記ストッパ突起１ｄに当たり、その位置がトレイＴが最も引出された位置となる。図３では、ケース１から最も引き出された状態のトレイＴを鎖線で示している。さらにケース１内からトレイＴを強制的に引き出すと、規制突起Ｔ１が形成されている部分が弾性変形し、規制突起Ｔ１がストッパ突起１ｄを乗り越え、トレイＴをケース１の外方へ取り出すことができる。なお、各トレイＴの図示左側の側方には、装置本体側からトレイＴに対して引出し力を与えるためのフックＴ４が設けられている。
【００２２】
図４は、図１をＩＶ矢視方向から見た側面図、図５はディスク装置を部分的に拡大した図４のＶ矢視の拡大平面図であり、（Ａ）は係合前の状態を示し、（Ｂ）は係合状態を示す。
筐体Ａ内のディスク駆動領域Ｃ内に設けられた昇降移動ベース１０は金属板で曲げ形成され、その両端には側部１０ａ，１０ａを有している。図４に示すように筐体Ａの側板には、垂直（Ｚ軸）方向に延びる長孔Ａ２，Ａ２が穿設されており、この側板１０ａの外面には、傾斜孔２１ａ，２１ａを有する駆動部材２１が図示Ｘ軸方向に摺動自在に設けられている。そして、これら長孔Ａ２および傾斜孔２１ａの両孔に、昇降移動ベース１０の側部１０ａ，１０ａに植設されたガイドピン１０ｂ，１０ｂがそれぞれ挿通されている。また筐体Ａの内部には図示しない昇降駆動機構が設けられ、この昇降駆動機構の駆動力により、駆動部材２１が図示Ｘ方向に移動させられる。
【００２３】
例えば、図４に示すように昇降移動ベース１０が下層部に位置している初期状態から、駆動部材２１が昇降駆動機構により図示Ｘ２方向に駆動されると、ガイドピン１０ｂ，１０ｂが駆動部材２１の傾斜孔２１ａ，２１ａによって図示Ｚ１方向に持ち上げられる。同様に、昇降移動ベース１０が上層側に位置する時に駆動部材２１が図示Ｘ１方向に移動すると、ガイドピン１０ｂ，１０ｂは昇降部材２１の傾斜孔２１ａ，２１ａにより下降させられる。このとき、ガイドピン１０ｂは傾斜孔２１ａのみならず、筐体Ａの長孔Ａ２にもガイドされて移動することとなるため、昇降移動べース１０はＺ方向に直線的に昇降移動する。
【００２４】
図１に示すように、筐体Ａ内の図示上端（Ｙ１）側には規制部材としてストッパ１９が設けられている。図４に示すように、ストッパ１９は、切欠部１９ｃが形成された扉状の規制部１９ｂを有し、図示Ｘ１側の端部には回転軸１９ａが設けられ、この回転軸１９ａが筐体Ａ内に回転自在に支持されている。よって、ストッパ１９は回転軸１９ａを支点として回動自在である。ただし、ストッパ１９の回転軸１９ａには、ねじりコイルばね等の付勢部材（図示省略）が設けられており、規制部１９ｂが図１（または図５）で反時計回り方向に付勢されて筐体Ａに平行する待避位置（イ）となっている。また規制部１９ｂの下部端面には、筐体Ａの底面より図示Ｚ２方向に突出する凸部１９ｄが設けられている。
【００２５】
図４に示すように駆動部材２１は図示Ｘ２方向に延長されており、Ｚ２側が筐体Ａの底面側にて内部方向に曲げられて、規制解除部２１ｂが形成されている。この実施の形態では、駆動部材２１および規制解除部２１ｂが規制解除手段として機能する。
【００２６】
図５（Ａ），（Ｂ）では、規制解除部２１ｂが点線または一点鎖線で示されており、図示右端（Ｘ１）側に傾斜部２１ｃが形成されている。駆動部材２１が図示Ｘ１方向に移動すると、規制解除部２１ｂの傾斜部２１ｃが前記規制部１９ｂの下部端面に設けられた凸部１９ｄに当接する。さらに駆動部材２１がＸ１方向に移動すると、傾斜部２１ｃにより凸部１９ｄが押され、ストッパ１９は時計方向に回動させられて、実線で示す規制位置（ロ）に至る。
また駆動部材２１が図示Ｘ２方向に移動すると、傾斜部２１ｃが凸部１９ｄから外れ、ストッパ１９は、前記付勢部材の付勢力により反時計回りに回動させられ、図５（Ａ）で点線で示す待避位置（イ）となる。このように、駆動部材２１のＸ方向への移動に連動して、ストッパ１９を待避位置（イ）または規制位置（ロ）のいずれにも設定できる。
【００２７】
また、図１，図４および図５に示すように、昇降移動ベース１０のＸ２側の先端には、図示Ｚ１方向に向く折り曲げ部１０ｃが形成されている。そして、この折り曲げ部１０ｃの下部には引出し手段としてＸ２方向に延びる引出しレバー１８が設けられている。引出しレバー１８は、昇降移動ベース１０とともにＺ方向へ昇降移動し、昇降移動ベース１０に搭載された引出し駆動機構（図示しない）により図示Ｘ方向へ駆動される。
【００２８】
図５（Ａ），（Ｂ）に示すように、引出しレバー１８は昇降移動ベース１０の下面に設けられた基部１８ｂと、この基部１８ｂから突出形成された係合部１８ａとが一体成形されている。基部１８ｂには、Ｚ軸方向に延びるガイドピン２２ａ，２２ｂが並んで設けられ、両ガイドピン２２ａ，２２ｂは、昇降移動ベース１０に穿設されたガイド溝１０ｄ内に挿通されている。すなわち、引出しレバー１８は、このガイド溝１０ｄに案内されて昇降移動ベース１０上をＸ軸方向に直線的に移動できるものとなっている。
【００２９】
またこのガイド溝１０ｄの図示Ｘ２側の端部には、クランク部１０ｅが形成されており、図示しない引出し駆動機構により引出しレバー１８が最もＸ２方向に移動させられると、図５（Ａ）示すように、ガイドピン２２ａのみがクランク部１０ｅに入り込むため、引出しレバー１８はガイドピン２２ｂを中心に反時計回り方向に回動する。よって、係合部１８ａは、トレイＴから離間し、フックＴ４を係合できない符号▲１▼に示す状態となる。図５（Ａ）の位置から引出しレバー１８をＸ１方向に移動させると、ガイドピン２２ａはクランク部１０ｅから脱出し、直線状のガイド溝１０ｄ内に入る。よって、引出しレバー１８は時計方向に回動して図５（Ｂ）に示す状態に復帰し、トレイＴのフックＴ４を係合できる符号▲２▼に示す状態となる。さらにそのまま引出しレバー１８をＸ１方向に移動させることにより、トレイＴがケース１の開口部１ａから引き出される。
【００３０】
図４に示すように、駆動部材２１が最もＸ１方向へ移動し、昇降移動ベース１０が最下部に位置する場合には、最下段のトレイＴａとその真上（下から２段め）のトレイＴｂのフックＴ４は、ストッパ１９の切欠部１９ｃに対向する。この切欠部１９ｃを介して、最下段のトレイＴａのフックＴ４は引出しレバー１８の基部１８ｂの当接面１８ｃに対向し、トレイＴｂのフックＴ４は昇降移動ベース１０の先端の折り曲げ部１０ｃに対向する。そして、引出しレバー１８の係合部１８ａは、切欠部１９ｃを介してフックＴ４に係合できる状態に対向している。
【００３１】
上記のように構成されるディスク装置の動作について説明する。
ディスク装置内へディスクパッケージＰを装填する前の段階では、図４に示すように昇降移動ベース１０は最下部の位置に移動している。すなわち、駆動部材２１は最もＸ１側に移動し、傾斜孔２１ａ，２１ａにより昇降移動ベース１０が下降させられている。
このとき、図５（Ａ）に示すように、規制解除部２１ｂの傾斜部２１ｃによって凸部１９ｄが押され、ストッパ１９が時計方向へ回動して規制位置（ロ）となっている。また、引出しレバー１８はＺ２方向に最も移動し、図５（Ａ）にて符号▲１▼の状態で待機している。
【００３２】
パッケージＰのケース１は、図１および図２のディスク装置のＸ２側に設けられた挿入口Ａ１から挿入され、図示しないロック機構によりケース１は装填領域Ｂ内にロックされる。
パッケージＰは、開口部１ａがＸ２側に向けられた状態で装填領域Ｂへ挿入される。挿入が完了すると、パッケージＰ内の上から３段目までの３枚のトレイＴｃ、Ｔｄ、Ｔｅの被押圧部Ｔ５が、図５（Ａ）に示すように規制位置（ロ）に回動したストッパ１９の規制部１９ｂに微小距離で対向する。また最下段のトレイＴａでは、フックＴ４が引出しレバー１８の当接面１８ｃに微小距離で対向し、下から２段目のトレイＴｂでは、フックＴ４が昇降移動ベース１０の折り曲げ部１０ｃに微小距離で対向する。
【００３３】
よって、パッケージＰが装填領域に装填されたときの衝撃や加速度で開口部１ａからトレイが飛び出そうとしても、規制部１９ｂおよび、当接面１８ｃならびに折り曲げ部１０ｃによりトレイの飛び出しが防止できる。またパッケージＰの開口部１ａからトレイがわずかに突出した状態で、パッケージＰが挿入されたときにも、パッケージＰの挿入動作でトレイＴが、規制部１９ｂおよび、当接面１８ｃならびに折り曲げ部１０ｃに当り、パッケージＰ内に戻される。
【００３４】
ここで、パッケージＰが装填領域Ｂに装填された状態での、各トレイＴと、規制部１９ｂおよび当接面１８ｃと折り曲げ部１０ｃとの間隔であるが、その間隔分だけトレイＴがパッケージＰ内から突出しようとしても、図３に示す板ばね２によりトレイＴをパッケージＰ内へ戻せるように設定されている。すなわち、板ばね２の先端部２ａが、保持突起Ｔ３の頂部を乗り越えない範囲で、トレイＴが突出したときに、トレイが規制部１９ｂ、当接面１８ｃ、折り曲げ部１０ｃに当たるようになっている。したがって、パッケージＰ内のトレイＴは開口部１ａから突出することのないように、パッケージＰ内の板ばね２で常に保持される。
パッケージＰが装填領域Ｂに挿入された直後に、直ちに最下段のトレイＴａをパッケージＰ内から引き出すことができる。
【００３５】
パッケージＰが挿入された直後に、引出しレバー１８のガイドピン２２ｂをＸ１方向へ移動させると、ストッパ１９の切欠部１９ｃ内において、引出しレバー１８の係合部１８ａが図５（Ｂ）に示すように時計方向へ回動して▲２▼の状態になり、トレイＴａのフックＴ４に係合する。そのまま引出しレバー１８をＸ１方向へ移動させると、最下段のトレイＴａはパッケージＰの開口部１ａからディスク駆動手段Ｅの方向へ引き出される。ただし、他のトレイは、昇降移動ベース１０の折り曲げ部１０ｃおよびストッパ１９の規制部１９ｂにより飛び出さないように規制されたままである。よって、パッケージＰが挿入されてから最下段のトレイＴａ上のディスクを駆動可能となるまでの時間を最短にできる。
【００３６】
また、トレイＴｂ，Ｔｃ，Ｔｄ，Ｔｅのいずれかを引き出すときも、昇降移動ベース１０を上昇させることにより直ちに引出し動作が可能になる。
この場合には、駆動部材２１をＸ２方向へ移動させ、傾斜孔２１ａ，２１ａにより昇降移動ベース１０を上昇させ、引出しレバー１８が、Ｔｂ〜Ｔｅのいずれかのディスクを引き出せる位置に対向した時点で昇降移動ベース１０を停止させる。
【００３７】
駆動部材２１がＸ２方向へ移動すると、規制解除部２１ｂの傾斜部２１ｃが凸部１９ｄから外れるため、ストッパ１９は図５（Ａ）で破線で示すように反時計方向へ回動して待避位置（イ）に至り、トレイの突出を妨げなくなる。したがって、昇降移動ベース１０を上昇させてトレイの選択を完了した直後に、他の駆動機構でストッパ１９を待避させる時間を設けることなく、直ちに引出しレバー１８をＸ１方向へ移動させて、トレイを引き出すことが可能になる。
上記においては、切欠部１９ｃはストッパ１９の下部に形成したが、切欠部１９ｃを下部以外の位置に形成し、最下段以外のトレイに、切欠部を介して引出しレバーまたは昇降移動ベースが対向するように構成することができる。
【００３８】
【発明の効果】
以上詳述した本発明によれば、パッケージが開口部を前方に向けて挿入されるディスク装置において、パッケージの開口部からトレイが突出しようとしても、規制部材、引出し手段、移動ベースにより、トレイの飛び出しが防止できる。
【００３９】
またパッケージが挿入された時点で、引出し手段が対向するトレイを直ちに引き出すことができる。また他のトレイも、移動ベースを移動させてディスクの選択を完了した直後に、直ちに引き出すことができる。
【図面の簡単な説明】
【図１】本発明におけるディスク装置の実施の形態を示す平面図、
【図２】図１のＩＩ方向から見た縦断面図、
【図３】ディスクパッケージの平断面図、
【図４】図１のＩＶ方向から見た側面図、
【図５】（Ａ）は係合前の状態を示し、（Ｂ）は係合状態を示すものであり、共に図４のＶ矢視の拡大平面図、
【符号の説明】
Ａ  筐体
Ｂ  装填領域
Ｃ  ディスクパッケージ駆動領域
Ｅ  ディスク駆動手段
Ｔ  トレイ
Ｔ３  保持突起
Ｔ４  フック
Ｔ５  被押圧部
Ｐ  ディスクパッケージ
１  ケース
２  板ばね（保持手段）
１０  昇降移動ベース（移動ベース）
１８  引出しレバー（引出し手段）
１８ａ  係合部
１８ｂ  基部
１８ｃ  当接面
１９  ストッパ（規制部材）
１９ａ  回転軸
１９ｂ  規制部
１９ｃ  切欠部
１９ｄ  凸部
２１  駆動部材
２１ｂ  規制解除部
【図１】
0003563245.tif 000002
【図２】
0003563245.tif 000003
【図３】
0003563245.tif 000004
【図４】
0003563245.tif 000005
【図５】
0003563245.tif 000006